(57)【要約】【課題】二つの光源の双方又は一方に対して所望の交流電力を供給すること。【解決手段】点灯用電源装置１は、交流電源２からの交流電圧を整流する整流部３と、整流部３で整流した直流電圧を光源４及び５の夫々を点灯させるために要する所定電圧に変換する電圧変換部６と、電圧変換部６に並列接続されている共に、電圧変換部６で所定電圧に変換した直流電圧を交流電圧に変換して光源４及び５に交流電力を夫々供給する電力供給部７及び８と、電力供給部７及び８の夫々の交流電力の供給量を制御する制御装置９とを具備している。【選択図】図１
2009110824.tif 000002
【特許請求の範囲】
【請求項１】
交流電源からの交流電圧を整流する整流部と、整流部で整流した直流電圧を光源及び他の光源の夫々を点灯させるために要する所定電圧に変換する電圧変換部と、電圧変換部に並列接続されている共に、電圧変換部で所定電圧に変換した直流電圧を交流電圧に変換して光源及び他の光源に交流電力を夫々供給する電力供給部及び他の電力供給部と、電力供給部及び他の電力供給部の夫々の交流電力の供給量を制御する制御装置とを具備しており、制御装置は、光源及び他の光源の夫々に対する交流電力の供給量を切り替え自在に設定する設定部と、設定部で設定した交流電力の供給量に基づいて電力供給部及び他の電力供給部の夫々に対する制御信号を生成し、当該制御信号によって電力供給部及び他の電力供給部の夫々の交流電力の供給を制御する制御部とを具備している点灯用電源装置。
【請求項２】
電力供給部及び他の電力供給部は、四つのスイッチ素子を有したＨブリッジ回路を夫々具備しており、Ｈブリッジ回路の夫々は、電圧変換部に並列接続されていると共に光源及び他の光源に夫々接続されるようになっており、電力供給部のＨブリッジ回路の四つのスイッチ素子の夫々は、制御部からの制御信号に基づくオンオフ作動により電圧変換部からの直流電圧を交流電圧に変換して交流電力を光源に供給するようになっており、他の電力供給部のＨブリッジ回路の四つのスイッチ素子の夫々は、制御部からの制御信号に基づくオンオフ作動により電圧変換部からの直流電圧を交流電圧に変換して交流電力を他の光源に供給するようになっている請求項１に記載の点灯用電源装置。
【請求項３】
制御部は、電力供給部の光源に対する交流電力の供給量が設定部で設定された交流電力の供給量となるように、一周期又は半周期における交流電源電圧に対して予め設定された時分割期間における当該電力供給部の四つのスイッチ素子のオンオフ作動を行わせるためのゲート信号を生起するゲート信号生起部と、他の電力供給部の光源に対する交流電力の供給量が設定部で設定された交流電力の供給量となるように、一周期又は半周期における交流電源電圧に対して予め設定された時分割期間における当該他の電力供給部の四つのスイッチ素子のオンオフ作動を行わせるためのゲート信号を生起する他のゲート信号生起部とを具備している請求項２に記載の点灯用電源装置。
【請求項４】
電圧変換部は、光源及び他の光源としてのメタルハライドランプを点灯させるために要する所定電圧に変換するようになっている請求項１から３のいずれか一項に記載の点灯用電源装置。
【発明の詳細な説明】
【技術分野】
【０００１】
本発明は、メタルハライドランプ、ＨＩＤランプ（Ｈｉｇｈ  Ｉｎｔｅｎｓｉｔｙ  Ｄｉｓｃｈａｒｇｅｄ  Ｌａｍｐ）等からなる光源を点灯させるための点灯用電源装置に関する。
【背景技術】
【０００２】
【特許文献１】特開平１０−２９４１８９号公報
【０００３】
例えば特許文献１においては、直流電力を交流電力に変換して一つの光源に供給する点灯用電源装置が提案されている。
【発明の開示】
【発明が解決しようとする課題】
【０００４】
ところで、斯かる点灯用電源装置は、一つの光源を点灯させるために交流電力を供給するものであり、例えば二つの光源を点灯させるために交流電力を供給することはできない。そこで、例えば二つの光源の双方又は一方に対して所望の交流電力の供給が可能な点灯用電源装置が望まれる。
【０００５】
本発明は、前記諸点に鑑みてなされたものであり、その目的とするところは、二つの光源の双方又は一方に対して所望の交流電力を供給することができる点灯用電源装置を提供することにある。
【課題を解決するための手段】
【０００６】
本発明の点灯用電源装置は、交流電源からの交流電圧を整流する整流部と、整流部で整流した直流電圧を光源及び他の光源の夫々を点灯させるために要する所定電圧に変換する電圧変換部と、電圧変換部に並列接続されている共に、電圧変換部で所定電圧に変換した直流電圧を交流電圧に変換して光源及び他の光源に交流電力を夫々供給する電力供給部及び他の電力供給部と、電力供給部及び他の電力供給部の夫々の交流電力の供給量を制御する制御装置とを具備しており、制御装置は、光源及び他の光源の夫々に対する交流電力の供給量を切り替え自在に設定する設定部と、設定部で設定した交流電力の供給量に基づいて電力供給部及び他の電力供給部の夫々に対する制御信号を生成し、当該制御信号によって電力供給部及び他の電力供給部の夫々の交流電力の供給を制御する制御部とを具備している。
【０００７】
本発明の点灯用電源装置によれば、特に、電圧変換部に並列接続されている電力供給部及び他の電力供給部と、電力供給部及び他の電力供給部の夫々の交流電力の供給量を制御する制御装置とを具備しており、制御装置は、光源及び他の光源の夫々に対する交流電力の供給量を切り替え自在に設定する設定部と、設定部で設定した交流電力の供給量に基づいて電力供給部及び他の電力供給部の夫々に対する制御信号を生成し、当該制御信号によって電力供給部及び他の電力供給部の夫々の交流電力の供給を制御する制御部とを具備しているために、光源及び他の光源という二つの光源の双方又は一方に対して所望の交流電力を切り替え自在に供給することができる。
【０００８】
本発明の点灯用電源装置の好ましい例では、電力供給部及び他の電力供給部は、四つのスイッチ素子を有したＨブリッジ回路を夫々具備しており、Ｈブリッジ回路の夫々は、電圧変換部に並列接続されていると共に光源及び他の光源に夫々接続されるようになっており、電力供給部のＨブリッジ回路の四つのスイッチ素子の夫々は、制御部からの制御信号に基づくオンオフ作動により電圧変換部からの直流電圧を交流電圧に変換して交流電力を光源に供給するようになっており、他の電力供給部のＨブリッジ回路の四つのスイッチ素子の夫々は、制御部からの制御信号に基づくオンオフ作動により電圧変換部からの直流電圧を交流電圧に変換して交流電力を他の光源に供給するようになっている。
【０００９】
本発明の点灯用電源装置の好ましい例では、制御部は、電力供給部の光源に対する交流電力の供給量が設定部で設定された交流電力の供給量となるように、一周期又は半周期における交流電源電圧に対して予め設定された時分割期間における当該電力供給部の四つのスイッチ素子のオンオフ作動を行わせるためのゲート信号を生起するゲート信号生起部と、他の電力供給部の光源に対する交流電力の供給量が設定部で設定された交流電力の供給量となるように、一周期又は半周期における交流電源電圧に対して予め設定された時分割期間における当該他の電力供給部の四つのスイッチ素子のオンオフ作動を行わせるためのゲート信号を生起する他のゲート信号生起部とを具備している。斯かる好ましい例によれば、例えば、光源及び他の光源に対する交流電力の供給量の切り替えの際にラッシュ電流等の発生を防止することができ、光源及び他の光源を良好に点灯させ得る。
【００１０】
本発明の点灯用電源装置の好ましい例では、電圧変換部は、光源及び他の光源としてのメタルハライドランプを点灯させるために要する所定電圧に変換するようになっている。
【発明の効果】
【００１１】
本発明によれば、二つの光源の双方又は一方に対して所望の交流電力を供給することができる点灯用電源装置を提供し得る。
【発明を実施するための最良の形態】
【００１２】
次に本発明を、図に示す好ましい実施の形態の例に基づいて更に詳細に説明する。なお、本発明はこれら例に何等限定されないのである。
【００１３】
図１から図３において、本例の点灯用電源装置１は、交流電源２からの交流電圧を直流電圧に整流する整流部３と、整流部３で整流した直流電圧を光源４及び５の夫々を点灯させるために要する所定電圧（本例ではＤＣ３８０Ｖとする）に変換する電圧変換部６と、電圧変換部６に並列接続されている共に、電圧変換部６で所定電圧に変換した直流電圧を交流電圧に変換して光源４及び５に交流電力を夫々供給する電力供給部７及び８と、電力供給部７及び８の夫々の交流電力の供給量を制御する制御装置９とを具備している。
【００１４】
点灯用電源装置１が供給可能な最大電力量は、当該点灯用電源装置１の各素子に適用される部品の性能等によって変動するが、本例においては、前記最大電力量は１２００Ｗとする。
【００１５】
交流電源２は、５０Ｈｚ、６０Ｈｚ等の商用電源、本例では５０Ｈｚ、実効電圧１００Ｖの商用電源からなり、整流部３に電気的に接続される。光源４及び５の夫々は、本例ではメタルハライドランプからなる。
【００１６】
整流部３は、交流電源２に接続される端子１１及び１２と、給電線１３によって端子１１に接続されていると共に給電線１４によって端子１２に接続されている整流ブリッジ回路１５と、端子１１と整流ブリッジ回路１５との間で給電線１３に接続されているコイル１６及び端子１２と整流ブリッジ回路１５との間で給電線１４に接続されているコイル１７からなる交流フィルタ１８と、端子１１及び１２と交流フィルタ１８との間で給電線１３及び１４に接続されているコンデンサ１９と、交流フィルタ１８と整流ブリッジ回路１５との間で給電線１３及び１４に接続されているコンデンサ２０と、交流フィルタ１８とコンデンサ２０との間で給電線１３及び１４に接続されている二つのコンデンサ２１及び２２と、コンデンサ２１及び２２間に接続されているアース２３とを具備している。交流フィルタ１８及びコンデンサ１９から２２は高周波除去や交流電圧の平滑化を生じさせるようになっている。
【００１７】
電圧変換部６は、整流ブリッジ回路１５の出力側の一端に給電線３１によって接続されたコイルからなるインダクタ３２及びダイオード３３と、インダクタ３２とダイオード３３との間で給電線３１に接続されていると共に整流ブリッジ回路１５の出力側の他端に給電線３４によって接続されている力率改善回路（ＰＦＣ回路）３５と、ダイオード３３及び力率改善回路３５よりも出力端子３６及び３７側で給電線３１及び３４に接続されているキャパシタとしてのコンデンサ３８とを具備している。コンデンサ３８は、電圧変換部６から出力される直流電圧の平滑化をも行う。
【００１８】
力率改善回路３５は、ドレーン及びソースが給電線３１及び３４に夫々接続されているＦＥＴ等からなるトランジスタ４１と、トランジスタ４１のゲートに接続されているＰＦＣ制御部４２とを具備している。ＰＦＣ制御部４２は、整流ブリッジ回路１５とトランジスタ４１の給電線３４への接続部との間で給電線３４に配設された通電監視用の抵抗４３と、前記接続部及びダイオード３３とコンデンサ３８との間で給電線３１及び３４に夫々接続されている電圧検出用の抵抗４４、４５、４６及び４７とを具備しており、抵抗４３、４４、４５、４６及び４７からの検出電圧に応じてトランジスタ４１のオンオフ作動を制御するようになっている。斯かる電圧変換部６は、本例では、整流部３からの直流電圧（ＤＣ１００Ｖ）を、メタルハライドランプからなる光源４及び５を点灯させるために要する所定電圧、本例ではＤＣ３８０Ｖに変換して出力端子３６及び３７から出力するようになっている。
【００１９】
電力供給部７は、四つのスイッチ素子５１、５２、５３及び５４を有したＨブリッジ回路５５を具備している。Ｈブリッジ回路５５は、電圧変換部６の出力端子３６及び３７に接続された給電線５６及び５７にＨ字状に接続されており、給電線５６に対する接続部近傍にはスイッチ素子５１及び５３が配設されており、給電線５７に対する接続部近傍にはスイッチ素子５２及び５４が配設されている。スイッチ素子５１はスイッチ素子５３よりも電圧変換部６側で給電線５６に接続されている。スイッチ素子５２はスイッチ素子５４よりも電圧変換部６側で給電線５７に接続されている。Ｈブリッジ回路５５のスイッチ素子５１、５２、５３及び５４間に介在された部位には、コイル５８、抵抗５９並びに光源４に接続される出力端子５０ａ及び５０ｂが接続されている。
【００２０】
スイッチ素子５１、５２、５３及び５４の夫々は、例えばＩＧＢＴ（Ｉｎｓｕｌａｔｅｄ  Ｇａｔｅ  Ｂｉｐｏｌａｒ  Ｔｒａｎｓｉｓｔｏｒ）等のＭＯＳＦＥＴからなる。スイッチ素子５１、５２、５３及び５４の夫々は、ドレーン及びソースの通電が許容された状態（オン状態）にある場合には電圧変換部６と光源４とを電気的に接続するようになっており、ドレーン及びソースの通電が禁止された状態（オフ状態）にある場合には電圧変換部６と光源５とを電気的に非接続にするようになっている。電力供給部７は、制御装置９からの制御信号に基づくスイッチ素子５１及び５４の同期的なオンオフ作動と制御装置９からの制御信号に基づくスイッチ素子５２及び５３の同期的なオンオフ作動とによって電圧変換部６からの直流電圧を交流電圧に変換して交流電力を出力端子５０ａ及び５０ｂから光源４に供給するようになっている。
【００２１】
電力供給部８は、四つのスイッチ素子６１、６２、６３及び６４を有したＨブリッジ回路６５を具備している。Ｈブリッジ回路６５は、電圧変換部６の出力端子３６及び３７に接続された給電線５６及び５７にＨ字状に接続されており、給電線５６に対する接続部近傍にはスイッチ素子６１及び６３が配設されており、給電線５７に対する接続部近傍にはスイッチ素子６２及び６４が配設されている。スイッチ素子６１はスイッチ素子６３よりも電圧変換部６側で給電線５６に接続されている。スイッチ素子６２はスイッチ素子６４よりも電圧変換部６側で給電線５７に接続されている。Ｈブリッジ回路６５のスイッチ素子６１、６２、６３及び６４間に介在された部位には、コイル６８、抵抗６９並びに光源５に接続される出力端子６０ａ及び６０ｂが接続されている。Ｈブリッジ回路５５及び６５は、電圧変換部６に並列接続されている。
【００２２】
スイッチ素子６１、６２、６３及び６４の夫々は、例えばゲート信号（トリガ信号）を受けてオンオフ作動するＩＧＢＴ（Ｉｎｓｕｌａｔｅｄ  Ｇａｔｅ  Ｂｉｐｏｌａｒ  Ｔｒａｎｓｉｓｔｏｒ）等のＭＯＳＦＥＴからなる。スイッチ素子６１、６２、６３及び６４の夫々は、ドレーン及びソースの通電が許容された状態（オン状態）にある場合には電圧変換部６と光源５とを電気的に接続するようになっており、ドレーン及びソースの通電が禁止された状態（オフ状態）にある場合には電圧変換部６と光源５とを電気的に非接続にするようになっている。電力供給部８は、制御装置９からの制御信号に基づくスイッチ素子６１及び６４の同期的なオンオフ作動と制御装置９からの制御信号に基づくスイッチ素子６２及び６３の同期的なオンオフ作動とによって電圧変換部６からの直流電圧を交流電圧に変換して交流電力を出力端子６０ａ及び６０ｂから光源５に供給するようになっている。
【００２３】
制御装置９は、光源４及び５の夫々に対する交流電力の供給量を切り替え自在に設定する設定部７１と、設定部７１で設定した交流電力の供給量に基づいて電力供給部７及び８の夫々に対する制御信号を生成し、当該制御信号によって電力供給部７及び８の夫々の交流電力の供給を制御する制御部７２とを具備している。
【００２４】
設定部７１は、ＳＰＳＴ（Ｓｉｎｇｌｅ−Ｐｏｌｅ／Ｓｉｎｇｌｅ−Ｔｈｒｏｗ  Ｓｗｉｔｃｈ）等からなる四つのスイッチ部７３、７４、７５及び７６を有している。本例の設定部７１は、スイッチ部７３及び７４の夫々の作動により電力供給部７の交流電力の供給量を設定するための四通りの電気信号を生成し、スイッチ部７５及び７６の夫々の作動により電力供給部８の交流電力の供給量を設定するための四通りの電気信号を生成するようになっている。設定部７１は、スイッチ部７３及び７４の双方がオフ状態である場合には制御部７２に「００」として識別される電気信号を生成し、スイッチ部７３がオン状態であると共にスイッチ部７４がオフ状態である場合には制御部７２に「０１」として識別される電気信号を生成し、スイッチ部７３がオフ状態であると共にスイッチ部７４がオン状態である場合には制御部７２に「１０」として識別される電気信号を生成し、そして、スイッチ部７３及び７４の双方がオン状態である場合には制御部７２に「１１」として識別される電気信号を生成するようになっている。設定部７１は、スイッチ部７５及び７６の双方がオフ状態である場合には制御部７２に「００」として識別される電気信号を生成し、スイッチ部７５がオン状態であると共にスイッチ部７６がオフ状態である場合には制御部７２に「０１」として識別される電気信号を生成し、スイッチ部７５がオフ状態であると共にスイッチ部７６がオン状態である場合には制御部７２に「１０」として識別される電気信号を生成し、そして、スイッチ部７５及び７６の双方がオン状態である場合には制御部７２に「１１」として識別される電気信号を生成するようになっている。スイッチ部７３、７４、７５及び７６は、操作によってオンオフ作動されるようになっている。
【００２５】
制御部７２は、設定部７１に接続されたコンピュータ等からなる演算装置８１と、演算装置８１に接続されていると共に電力供給部７のスイッチ素子５１、５２、５３及び５４の夫々のゲートに対するゲート信号を生起するゲート信号生起部としてのドライバ８２と、演算装置８１に接続されていると共に電力供給部８のスイッチ素子６１、６２、６３及び６４の夫々のゲートに対するゲート信号を生起する他のゲート信号生起部としてのドライバ８３と、演算装置８１に接続されていると共に電力供給部７のＨブリッジ回路５５における通電を検出する検出センサ８４及び８５と、演算装置８１に接続されていると共に電力供給部８のＨブリッジ回路６５における通電を検出する検出センサ８６及び８７とを具備している。演算装置８１のドライバ８２及び８３の夫々に対する制御信号は、例えば図４に示す交流電圧波形１００となる。
【００２６】
演算装置８１は、電力供給部７の光源４に対する交流電力の供給量の設定を内容とする電気信号が設定部７１から入力された場合には、前記交流電力の供給量が当該設定部７１で設定された供給量となるように、交流電源２の交流電源電圧の一周期又は半周期、本例では半周期Ｈに対して予め設定された図４に示す時分割期間Ｔの夫々に占める交流電力の供給期間ｓの割合を決定し、当該決定した割合をもって交流電力が光源４に供給されるように、スイッチ素子５１及び５４の同期的なオンオフ作動又はスイッチ素子５２及び５３の同期的なオンオフ作動を制御する制御信号を生起し、ドライバ８２に信号線９１を介して当該制御信号を送るようになっている。演算装置８１は、本例では、スイッチ部７３及び７４のオンオフ状態に基づいて「００」として識別される電気信号が入力された場合には、電力供給部７の光源４に対する交流電力の供給量が２００Ｗとなるように、時分割期間Ｔの夫々に占める交流電力の供給期間ｓの割合を決定し、当該決定した割合をもって交流電力が光源４に供給されるように、スイッチ素子５１及び５４の同期的なオンオフ作動又はスイッチ素子５２及び５３の同期的なオンオフ作動を制御する制御信号を生起し、ドライバ８２に信号線９１を介して当該制御信号を送るようになっており、スイッチ部７３及び７４のオンオフ状態に基づいて「０１」として識別される電気信号が入力された場合には、電力供給部７の光源４に対する交流電力の供給量が４００Ｗとなるように、時分割期間Ｔの夫々に占める交流電力の供給期間ｓの割合を決定し、当該決定した割合をもって交流電力が光源４に供給されるように、スイッチ素子５１及び５４の同期的なオンオフ作動又はスイッチ素子５２及び５３の同期的なオンオフ作動を制御する制御信号を生起し、ドライバ８２に信号線９１を介して当該制御信号を送るようになっており、スイッチ部７３及び７４のオンオフ状態に基づいて「１０」として識別される電気信号が入力された場合には、電力供給部７の光源４に対する交流電力の供給量が５７５Ｗとなるように、時分割期間Ｔの夫々に占める交流電力の供給期間ｓの割合を決定し、当該決定した割合をもって交流電力が光源４に供給されるように、スイッチ素子５１及び５４の同期的なオンオフ作動又はスイッチ素子５２及び５３の同期的なオンオフ作動を制御する制御信号を生起し、ドライバ８２に信号線９１を介して当該制御信号を送るようになっており、そして、スイッチ部７３及び７４のオンオフ状態に基づいて「１１」として識別される電気信号が入力された場合には、電力供給部７の光源４に対する交流電力の供給量が１２００Ｗとなるように、時分割期間Ｔの夫々に占める交流電力の供給期間ｓの割合を決定し、当該決定した割合をもって交流電力が光源４に供給されるように、スイッチ素子５１及び５４の同期的なオンオフ作動又はスイッチ素子５２及び５３の同期的なオンオフ作動を制御する制御信号を生起し、ドライバ８２に信号線９１を介して当該制御信号を送るようになっている。
【００２７】
演算装置８１は、電力供給部８の光源５に対する交流電力の供給量の設定を内容とする電気信号が設定部７１から入力された場合には、前記交流電力の供給量が当該設定部７１で設定された供給量となるように、交流電源２の交流電源電圧の一周期又は半周期、本例では半周期Ｈに対して予め設定された時分割期間Ｔの夫々に占める交流電力の供給期間ｓの割合を決定し、当該決定した割合をもって交流電力が光源５に供給されるように、スイッチ素子６１及び６４の同期的なオンオフ作動又はスイッチ素子６２及び６３の同期的なオンオフ作動を制御する制御信号を生起し、ドライバ８３に信号線９２を介して当該制御信号を送るようになっている。演算装置８１は、スイッチ部７５及び７６のオンオフ状態に基づいて「００」として識別される電気信号が入力された場合には、電力供給部８の光源５に対する交流電力の供給量が２００Ｗとなるように、時分割期間Ｔの夫々に占める交流電力の供給期間ｓの割合を決定し、当該決定した割合をもって交流電力が光源５に供給されるように、スイッチ素子６１及び６４の同期的なオンオフ作動又はスイッチ素子６２及び６３の同期的なオンオフ作動を制御する制御信号を生起し、ドライバ８３に信号線９２を介して当該制御信号を送るようになっており、スイッチ部７５及び７６のオンオフ状態に基づいて「０１」として識別される電気信号が入力された場合には、電力供給部８の光源５に対する交流電力の供給量が４００Ｗとなるように、時分割期間Ｔの夫々に占める交流電力の供給期間ｓの割合を決定し、当該決定した割合をもって交流電力が光源５に供給されるように、スイッチ素子６１及び６４の同期的なオンオフ作動又はスイッチ素子６２及び６３の同期的なオンオフ作動を制御する制御信号を生起し、ドライバ８３に信号線９２を介して当該制御信号を送るようになっており、スイッチ部７５及び７６のオンオフ状態において「１０」として識別される電気信号が入力された場合には、電力供給部８の光源５に対する交流電力の供給量が５７５Ｗとなるように、時分割期間Ｔの夫々に占める交流電力の供給期間ｓの割合を決定し、当該決定した割合をもって交流電力が光源５に供給されるように、スイッチ素子６１及び６４の同期的なオンオフ作動又はスイッチ素子６２及び６３の同期的なオンオフ作動を制御する制御信号を生起し、ドライバ８３に信号線９２を介して当該制御信号を送るようになっており、そして、スイッチ部７５及び７６のオンオフ状態において「１１」として識別される電気信号が入力された場合には、電力供給部８の光源５に対する交流電力の供給量が１２００Ｗとなるように、時分割期間Ｔの夫々に占める交流電力の供給期間ｓの割合を決定し、当該決定した割合をもって交流電力が光源５に供給されるように、スイッチ素子６１及び６４の同期的なオンオフ作動又はスイッチ素子６２及び６３の同期的なオンオフ作動を制御する制御信号を生起し、ドライバ８３に信号線９２を介して当該制御信号を送るようになっている。
【００２８】
演算装置８１は、設定部７１から入力された電気信号が内容とする電力供給部７の光源４に対する交流電力の供給量と設定部７１から入力された電気信号が内容とする電力供給部８の光源５に対する交流電力の供給量との和が、点灯用電源装置１の供給可能な最大電力量（本例では１２００Ｗ）を超えると判断した場合には、電力供給部７及び８のうちのいずれか一方のみに対して制御信号を生起するようになっている。
【００２９】
ドライバ８２は、演算装置８１からの制御信号に基づいて半周期Ｈにおいてスイッチ素子５１及び５４を同期的にオンオフ作動させるためのゲート信号を生起して当該スイッチ素子５１及び５４に送り、前記半周期Ｈに続く他の半周期Ｈにおいてスイッチ素子５２及び５３を同期的にオンオフ作動させるためのゲート信号を生起して当該スイッチ素子５２及び５３に送るようになっている。半周期Ｈにおいては、スイッチ素子５２及び５３はオフ状態となっており、他の半周期Ｈにおいては、スイッチ素子５１及び５４はオフ状態となっている。このように、ドライバ８２は、電力供給部７の光源４に対する交流電力の供給量が設定部７１で設定された交流電力の供給量となるように、半周期Ｈにおける交流電源電圧に対して予め設定された時分割期間Ｔにおける当該電力供給部７の四つのスイッチ素子５１、５２、５３及び５４のオンオフ作動を行わせるためのゲート信号を生起する。
【００３０】
ドライバ８３は、演算装置８１からの制御信号に基づいて半周期Ｈにおいてスイッチ素子６１及び６４を同期的にオンオフ作動させるためのゲート信号を生起して当該スイッチ素子６１及び６４に送り、前記半周期Ｈに続く他の半周期Ｈにおいてスイッチ素子６２及び６３を同期的にオンオフ作動させるためのゲート信号を生起して当該スイッチ素子６２及び６３に送るようになっている。半周期Ｈにおいては、スイッチ素子６２及び６３はオフ状態となっており、他の半周期Ｈにおいては、スイッチ素子６１及び６４はオフ状態となっている。このように、ドライバ８３は、電力供給部８の光源５に対する交流電力の供給量が設定部７１で設定された交流電力の供給量となるように、半周期Ｈにおける交流電源電圧に対して予め設定された時分割期間Ｔにおける当該電力供給部８の四つのスイッチ素子６１、６２、６３及び６４のオンオフ作動を行わせるためのゲート信号を生起する。
【００３１】
ドライバ８２及び８３によってスイッチ素子５１、５２、５３及び５４並びにスイッチ素子６１、６２、６３及び６４がオンオフ作動される電力供給部７及び８から光源４及び５に供給される交流電力は、例えば図５に示す交流電圧波形１０１となる。
【００３２】
検出センサ８４及び８５は、Ｈブリッジ回路５５で検出した通電を内容とする信号を演算装置８１に送るようになっており、斯かる信号を受けた演算装置８１は、前記検出した通電を内容とする信号から得られる交流電力の供給量と設定部７１で設定した電力供給部７の交流電力の供給量とに基づいて、所望の交流電力の供給量となるように制御信号を調整するようになっている。検出センサ８６及び８７は、Ｈブリッジ回路６５で検出した通電を内容とする信号を演算装置８１に送るようになっており、斯かる信号を受けた演算装置８１は、前記検出した通電を内容とする信号から得られる交流電力の供給量と設定部７１で設定した電力供給部８の交流電力の供給量とに基づいて、所望の交流電力の供給量となるように制御信号を調整するようになっている。
【００３３】
本例の点灯用電源装置１によれば、交流電源２からの交流電圧を整流する整流部３と、整流部３で整流した直流電圧を光源４及び５の夫々を点灯させるために要する所定電圧に変換する電圧変換部６と、電圧変換部６に並列接続されている共に、電圧変換部６で所定電圧に変換した直流電圧を交流電圧に変換して光源４及び５に交流電力を夫々供給する電力供給部７及び８と、電力供給部７及び８の夫々の交流電力の供給量を制御する制御装置９とを具備しており、制御装置９は、光源４及び５の夫々に対する交流電力の供給量を切り替え自在に設定する設定部７１と、設定部７１で設定した交流電力の供給量に基づいて電力供給部７及び８の夫々に対する制御信号を生成し、当該制御信号によって電力供給部７及び８の夫々の交流電力の供給を制御する制御部７２とを具備しているために、光源４及び５という二つの光源の双方又は一方に対して所望の交流電力を切り替え自在に供給することができる。
【００３４】
点灯用電源装置１によれば、制御部７２は、電力供給部７の光源４に対する交流電力の供給量が設定部７１で設定された交流電力の供給量となるように、一周期又は半周期Ｈにおける交流電源電圧に対して予め設定された時分割期間Ｔにおける当該電力供給部７の四つのスイッチ素子５１、５２、５３及び５４のオンオフ作動を行わせるためのゲート信号を生起するゲート信号生起部としてのドライバ８２と、電力供給部８の光源５に対する交流電力の供給量が設定部７１で設定された交流電力の供給量となるように、一周期又は半周期Ｈにおける交流電源電圧に対して予め設定された時分割期間Ｔにおける当該電力供給部８の四つのスイッチ素子６１、６２、６３及び６４のオンオフ作動を行わせるためのゲート信号を生起するゲート信号生起部としてのドライバ８３とを具備しているために、例えば、光源４及び５に対する交流電力の供給量の切り替えの際にラッシュ電流等の発生を防止することができ、光源４及び５を良好に点灯させ得る。
【図面の簡単な説明】
【００３５】
【図１】本発明の実施の形態の例の一部概念説明図である。
【図２】本発明の実施の形態の例の一部概念説明図である。
【図３】本発明の実施の形態の例の一部概念説明図である。
【図４】本発明の実施の形態の例の制御装置に関する交流電圧波形の説明図である。
【図５】本発明の実施の形態の例の電力供給部に関する交流電圧波形の説明図である。
【符号の説明】
【００３６】
１  点灯用電源装置
２  交流電源
３  整流部
４、５  光源
６  電圧変換部
７、８  電力供給部
９  制御装置
７１  設定部
７２  制御部
【図１】
2009110824.tif 000003
【図２】
2009110824.tif 000004
【図３】
2009110824.tif 000005
【図４】
2009110824.tif 000006
【図５】
2009110824.tif 000007